(57)【特許請求の範囲】
【請求項１】
浴室ユニットの床，壁等に設けた開口部または凹部内に下カバーと上カバーで包囲された温水タンクを挿入し、該開口部または凹部を前記下カバーで覆蓋するとともに、前記上カバーの上面には配管接続用の継手を固定し、該継手内に前記温水タンクの上面に上方へ突出された接続管が上下方向に水密状に摺動可能に挿着されて接続され、前記温水タンクは下面部が前記下カバーの下部に当接して支持されるように構成したことを特徴とする温水タンクの設置構造。
【請求項２】
前記継手が複数の場合、各継手の軸線が平行となるように設けられ、各継手に接続される温水タンク及び配管が同方向へ移動されるように構成したことを特徴とする請求項１に記載の温水タンクの設置構造。
【発明の詳細な説明】
【０００１】
【産業上の利用分野】
この発明は、温水タンクの設置構造に関するものである。
【０００２】
【従来の技術及びその課題】
従来、水栓金具への湯の供給は、浴室から離れた場所に設置された給湯器から行われているが、給湯器と浴室が離れているため、水栓金具の蛇口をひねってもすぐに湯が出なく、また、給湯器が燃焼を開始して温度が上がるまでの間は、配管内の冷水が水栓金具から吐出されてしまうという問題点があった。
また、従来、浴室の天井裏空間に温水保温タンクを設けて、給湯器からの給湯を温水保温タンクを介して水栓金具に供給するような構造のもの（特開平７−２７５１５１号公報）が存在するが、天井裏から水栓金具までは距離が遠く、蛇口をひねった時に、初期には水栓金具までの配管中の冷水が吐出されるという問題点があり、また、天井まで配管を立ち上げる分、配管の長さが長くなってしまうという問題点があった。
このような問題点を解決するために、発明者らは既に特願平１０−２０１１９８号として、浴室の床または壁に、タンク用の開口部と、それを塞ぐ蓋を設けて、この開口部付近の床下，壁裏に温水タンクを設置する構造を出願しているが、温水タンクの支持を継手部分で行うと、継手部分に集中荷重が加わり、破損しやすいという問題点があった。
また、温水タンクの支持を継手部分以外で行う場合は、製品のバラつきや施工時のバラつきにより、温水タンクを支持する部分と継手部の位置合わせが難しくなり、また、温水タンクの周囲に断熱材等が巻着されている場合には、温水タンクに水が入ると重さが大となり、沈み込んでしまうという問題点があった。
【０００３】
【課題を解決するための手段】
本発明は上記従来の問題点に鑑み案出したものであって、継手部分以外で温水タンクの荷重を支えることが可能となり、継手部分に負荷がかからず破損が生じない温水タンクの設置構造を提供せんことを目的とし、その第１の要旨は、浴室ユニットの床，壁等に設けた開口部または凹部内に下カバーと上カバーで包囲された温水タンクを挿入し、該開口部または凹部を前記下カバーで覆蓋するとともに、前記上カバーの上面には配管接続用の継手を固定し、該継手内に前記温水タンクの上面に上方へ突出された接続管が上下方向に水密状に摺動可能に挿着されて接続され、前記温水タンクは下面部が前記下カバーの下部に当接して支持されるように構成したことである。
また、第２の要旨は、前記継手が複数の場合、各継手の軸線が平行となるように設けられ、各継手に接続される温水タンク及び配管が同方向へ移動されるように構成したことである。
【０００４】
【実施例】
以下、本発明の実施例を図面に基づいて説明する。
浴室ユニット１の底面は、図２において平面図で示すような防水パン２で構成されており、この防水パン２には、浴槽を設置する浴槽設置面２Ａと、洗い場面２Ｂが形成され、浴槽設置面２Ａの左右側には、それぞれ点検口３，３が開口形成されて、点検口３の近傍には、水配管４と湯配管５の一次配管の接続部が配置されており、点検口３からこの水配管４及び湯配管５の接続部の点検を行うことができるように構成されている。
【０００５】
本例では、この左右何れかの点検口３に、図１の拡大断面図で示すように、カバー８，９で包囲された温水タンク６が上方より挿入されて設置される。
図１において、温水タンク６の外周には断熱材７が巻着されて保温構造となっており、温水タンク６は下カバー８と上カバー９で包囲されて、下カバー８の上端には外側へ突出してフランジ部８ａが形成されており、このフランジ部８ａを前記防水パン２の点検口３上にパッキン等を介在させて被せて、水密状に点検口３を蓋することができ、ボルト等でこのフランジ部８ａを防水パン２に止め付けることができ、また、フランジ部８ａ上には、上カバー９の下端のフランジ部９ａを重合させてボルト等で止め付けることができ、点検等の際には、この上カバー９のみを取り外して、温水タンク６内を点検することができるものである。
温水タンク６の上面には内部接続管１０が溶接等で固定されて、上方へ突出されており、この内部接続管１０は、上カバー９の上面に固定された継手金具１１内に上下動可能に挿着されたものとなっている。
【０００６】
この継手金具１１の部分を拡大して図３に示し、この部分を詳述すると、継手金具１１のフランジ部１１ａが、上カバー９の継手金具取付用の孔の下面にパッキン１４を介在させて当接され、上カバー９の上面側より、継手金具１１の外周ネジ１１ｅにナット１５が螺合されて、このナット１５が締め付けられることにより上カバー９に継手金具１１が固定されるものであり、継手金具１１の上端には外側へ突出して上鍔部１１ｄが形成されており、この下方の内周側に、内側へ突出して当接段部１１ｃが形成され、また、継手金具１１の下端部には外側へ突出した下鍔部１１ｂが一体形成されており、下鍔部１１ｂには、抜止ワッシャ１２を介在させて外周にクイックワッシャ１３が外嵌されて取り付けられ、前記温水タンク６から上方へ突出した内部接続管１０が、その外周にオーリングＯを設けた状態で水密状に継手金具１１の内周面に上下方向に摺動可能に挿入されており、オーリングＯにより水密性が確保されているとともに、内部接続管１０は最も上昇した状態では継手金具１１内の当接段部１１ｃに当接して上昇が止まり、最も下降した状態では前記抜止ワッシャ１２に当接して、内部接続管１０の下方側への移動が止まるように構成されている。
【０００７】
即ち、内部接続管１０は、抜止ワッシャ１２と継手金具１１内の当接段部１１ｃ間に亘り上下方向に摺動移動できるように構成されており、温水タンク６内に水が入り、温水タンク６が重くなった時に、温水タンク６はその重量により下降して、前記下カバー８の下部に形成された支持傾斜面８ｂに下面部が当接して支持されるように構成されている。従って、温水タンク６の重量はこの下カバー８の支持傾斜面８ｂで支持することができ、継手金具１１側には温水タンク６の重量がかからず、継手金具１１の部分の破損が良好に防がれるように構成されている。
【０００８】
なお、継手金具１１の上端の上鍔部１１ｄの外周にはクイックワッシャ１７が外嵌され、このクイックワッシャ１７により接続金具１６が継手金具１１の上端に接続されており、接続金具１６には、上部配管１８の先端側が接続され、また、逃がし弁１９が取り付けられている。
上部配管１８には出管部１８ａが形成されており、この出管部１８ａは図示しない浴室内に設けられた水栓に連通接続されるものである。また、上部配管１８の右端側にも逃がし弁２０が設けられている。
【０００９】
図１に戻り説明を続けると、上部配管１８の右端下部には、クイックワッシャ２１とオーリングＯを介して、水密かつ水平面内で回動可能に入管部２２が接続されており、この入管部２２は、図示しない離れた場所に設置された給湯器に配管を介して接続されて、給湯器からこの入管部２２内に湯が供給されるように構成されている。入管部２２の下端にはオーリングＯを介し回動管２３が接続されており、この回動管２３の下端部は、クイックワッシャ２５とオーリングＯを介して水密かつ回動可能に継手金具１１に接続されている。なお、回動管２３には水抜弁２４が取り付けられている。
【００１０】
この回動管２３の下部の継手金具１１は、前記上カバー９の上端側に設けられた継手金具１１と同様な構造のものであり、ナット１５を締め付けて上カバー９に固定されており、この継手金具１１内にも、下方側から下部配管２６の上端に設けられた接続管１０がオーリングＯを介して水密状に上下方向へ摺動可能に挿着されている。
下部配管２６は温水タンク６の下側に回り込んで、温水タンク６の底面にオーリングＯを介し取り付けられた接続エルボ２７に接続されている。
【００１１】
なお、前述した如く、温水タンク６内に水が入り、その重さにより温水タンク６が下方側へ沈み込む際には、前述した上カバー９の上端側に設けられた継手金具１１に対し内部接続管１０が下方側へ摺動移動すると同時に、下部配管２６の上端の接続管１０も継手金具１１に対し下方側へ摺動移動するものであり、２個の継手金具１１，１１は、そのそれぞれの軸線が平行となるように設けられており、温水タンク６と下部配管２６が一体状に上下動できるように構成されて、温水タンク６の上下方向への移動距離が大となるように設定されている。
なお、温水タンク６内には、温水タンク６内の水を加熱するためのヒーター２９が設けられており、このヒーター２９には外部から電気コード２８が接続されている。
【００１２】
このような構造では、浴室内の水栓金具の近くに温水タンク６をコンパクトに設置することができ、水栓金具の蛇口を開いた時に温水タンク内の温水を吐出させることができて、水栓金具からの初期冷水の吐出を少なくすることができるものである。即ち、給湯器からの配管中で冷やされている水が入管部２２から下部配管２６を通り温水タンク６内に入って、温水タンク６内で温められて、温水タンク６の内部接続管１０から上部配管１８に温められた湯が吐出され、この湯に入管部２２側からの水が混合されて、出管部１８ａから水栓側へ供給されるものである。
【００１３】
このように本例では、温水タンク６の荷重を下カバー８の支持傾斜面８ｂで支持することができて、継手金具１１，１１の部分には負荷がかからないために、この部分の破損を良好に防ぐことができるものとなる。
また、温水タンク６に水が入り下方側に沈み込んだり、また輸送時に振動等が生じた時等にも、継手金具１１，１１に対し接続管１０，１０が上下方向に良好に移動するため、継手金具１１，１１の部分で負荷が緩衝されて、継手金具１１とか上カバー９の部分の破損が生じにくいものとなる。
また、継手金具１１の部分と支持傾斜面８ｂとの間隔が正確に設定されてなくても、温水タンク６及び下部配管２６は良好に上下動して、その誤差を吸収できるため、位置合わせの必要がなく、施工が容易なものとなる。
【００１４】
【発明の効果】
本発明の温水タンクの設置構造は、浴室ユニットの床，壁等に設けた開口部または凹部内に下カバーと上カバーで包囲された温水タンクを挿入し、該開口部または凹部を前記下カバーで覆蓋するとともに、前記上カバーの上面には配管接続用の継手を固定し、該継手内に前記温水タンクの上面に上方へ突出された接続管が上下方向に水密状に摺動可能に挿着されて接続され、前記温水タンクは下面部が前記下カバーの下部に当接して支持されるように構成したことにより、下カバーで温水タンクの荷重を支えることが可能となり、継手部分に負荷がかからず破損を良好に防ぐことができるものとなる。また、継手部で負荷を良好に緩衝できて、より破損しにくい構造となる。
【００１５】
また、前記継手が複数の場合、各継手の軸線が平行となるように設けられ、各継手に接続される温水タンク及び配管が同方向へ移動されるように構成したことにより、温水タンクの移動が容易となり、移動距離を大きく取ることができて、温水タンクの荷重を支える部分と継手部分との位置の誤差を良好に吸収できるものとなる。
【図面の簡単な説明】
【図１】  温水タンクの設置構造の拡大断面構成図である。
【図２】  浴室ユニットの平面構成図である。
【図３】  図１の要部拡大図である。
【符号の説明】
１  浴室ユニット
２  防水パン
３  点検口（開口部）
６  温水タンク
７  断熱材
８  下カバー
８ａ  フランジ部
８ｂ  支持傾斜面
９  上カバー
９ａ  フランジ部
１０  内部接続管（接続管）
１１  継手金具
１１ａ  フランジ部
１１ｂ  下鍔部
１１ｃ  当接段部
１１ｄ  上鍔部
１２  抜止ワッシャ
１３，１７，２１，２５  クイックワッシャ
１４  パッキン
１５  ナット
１６  接続金具
１８  上部配管
１８ａ  出管部
１９，２０  逃がし弁
２２  入管部
２３  回動管
２６  下部配管
２７  接続エルボ
Ｏ  オーリング
【図１】
0003711514.tif 000002
【図２】
0003711514.tif 000003
【図３】
0003711514.tif 000004